(57)【要約】【課題】トレーサビリティシステムを利用する消費者の処理負担を増大させることなく商品に関連する商品表示詳細情報を提供することができるようにする。【解決手段】商品に付されている履歴情報検索コード（トレーサビリティコード）を提示した消費者端末３０からの履歴情報取得依頼に応じて、その履歴情報検索コードを用いて商品の履歴情報を検索し、検索した履歴情報を消費者端末３０に提供するとともに、履歴情報検索コードを提示した消費者端末３０からの商品表示詳細情報取得依頼に応じて、その履歴情報検索コードの一部により構成される商品表示詳細情報検索コードを用いて商品表示詳細情報を検索し、検索した商品表示詳細情報を消費者端末３０に提供する。【選択図】図３
2007280233.tif 000002
【特許請求の範囲】
【請求項１】
消費者端末からの依頼に応じて商品の履歴情報と商品の包装に表示された商品表示の内容の詳細を示す商品表示詳細情報を提供する商品情報提供システムであって、
商品に付されている履歴情報検索コードを提示した前記消費者端末からの履歴情報取得依頼に応じて、当該履歴情報検索コードを用いて商品の履歴情報を検索する履歴情報検索手段と、
検索した履歴情報を前記消費者端末に提供する履歴情報提供手段と、
前記履歴情報検索コードを提示した前記消費者端末からの商品表示詳細情報取得依頼に応じて、当該履歴情報検索コードを用いて商品表示詳細情報を検索する商品表示詳細情報検索手段と、
検索した商品表示詳細情報を前記消費者端末に提供する商品表示詳細情報提供手段とを備えた
ことを特徴とする商品情報提供システム。
【請求項２】
商品表示詳細情報検索手段は、提示された履歴情報検索コードにもとづいて商品表示詳細情報検索コードを特定し、特定した商品表示詳細情報検索コードに対応付けされている商品表示詳細情報を検索する
請求項１記載の商品情報提供システム。
【請求項３】
商品表示詳細情報検索コードは、対応する履歴情報検索コードのうちあらかじめ定められた所定の一部によって構成され、
商品表示詳細情報検索手段は、提示された履歴情報検索コードから前記所定の一部を抽出することで商品表示詳細情報検索コードを特定する
請求項２記載の商品情報提供システム。
【請求項４】
商品の包装に表示された商品表示には、商品の名称、原材料名、賞味期限、製造方法、加工方法、メーカー名、販売者名、製造者番号、保存方法、製造者、注意書のうち少なくとも１つを含み、
商品表示詳細情報は、商品の名称の由来、原材料の効能、賞味期限の決定方法、製造方法の具体的内容、加工方法の具体的内容、メーカーの紹介、販売者の紹介、製造者番号の具体的説明、保存方法の具体的内容、製造者の紹介、注意書の意図のうち少なくとも一つを含む
請求項１から請求項３のうちいずれかに記載の商品情報提供システム。
【請求項５】
消費者端末からの依頼に応じて商品の履歴情報と商品の包装に表示された商品表示の内容の詳細を示す商品表示詳細情報を提供する商品情報提供方法であって、
商品に付されている履歴情報検索コードを提示した前記消費者端末からの履歴情報取得依頼に応じて、当該履歴情報検索コードを用いて商品の履歴情報を検索する履歴情報検索処理と、
検索した履歴情報を前記消費者端末に提供する履歴情報提供処理と、
前記履歴情報検索コードを提示した前記消費者端末からの商品表示詳細情報取得依頼に応じて、当該履歴情報検索コードを用いて商品表示詳細情報を検索する商品表示詳細情報検索処理と、
検索した商品表示詳細情報を前記消費者端末に提供する商品表示詳細情報提供処理とを備えた
ことを特徴とする商品情報提供方法。
【請求項６】
商品表示詳細情報検索処理にて、提示された履歴情報検索コードにもとづいて商品表示詳細情報検索コードを特定し、特定した商品表示詳細情報検索コードに対応付けされている商品表示詳細情報を検索する
請求項５記載の商品情報提供方法。
【請求項７】
商品表示詳細情報検索コードは、対応する履歴情報検索コードのうちあらかじめ定められた所定の一部によって構成され、
商品表示詳細情報検索処理にて、提示された履歴情報検索コードから前記所定の一部を抽出することで商品表示詳細情報検索コードを特定する
請求項６記載の商品情報提供方法。
【請求項８】
商品の包装に表示された商品表示には、商品の名称、原材料名、賞味期限、製造方法、加工方法、メーカー名、販売者名、製造者番号、保存方法、製造者、注意書のうち少なくとも１つを含み、
商品表示詳細情報は、商品の名称の由来、原材料の効能、賞味期限の決定方法、製造方法の具体的内容、加工方法の具体的内容、メーカーの紹介、販売者の紹介、製造者番号の具体的説明、保存方法の具体的内容、製造者の紹介、注意書の意図のうち少なくとも一つを含む
請求項５から請求項７のうちいずれかに記載の商品情報提供方法。
【発明の詳細な説明】
【技術分野】
【０００１】
本発明は、消費者端末からの依頼に応じて商品の履歴情報と商品の包装に表示された商品表示の内容の詳細を示す商品表示詳細情報を提供する商品情報提供システム、及び商品情報提供方法に関する。
【背景技術】
【０００２】
近年、特定の野菜や食肉を購入した消費者等に対して、その野菜や食肉の生産・流通履歴をインターネットなどの通信ネットワークを介して提供するトレーサビリティシステムが利用されるようになってきている。
【０００３】
トレーサビリティシステムでは、野菜や食肉などの商品やその商品の包装に貼付あるいは印字されたコード（トレーサビリティコード）を検索キーとすることで、その商品の生産・流通履歴を検索し閲覧することが可能となる（例えば、特許文献１参照）。
【０００４】
【特許文献１】特開２００５−３１８７５号公報
【発明の開示】
【発明が解決しようとする課題】
【０００５】
上述した特許文献１に記載された従来のシステムでは、商品（青果物、肉、鶏卵、加工食品、調味料、飲料など）の生産・流通履歴が提供されるが、商品の包装に記載された商品説明や内容成分などの各種の情報についての詳細についても提供することができれば、より有効にシステムを活用することが可能となる。
【０００６】
商品の包装に記載された各種の情報の詳細を示す情報（以下、「商品表示詳細情報」）が知りたい場合には、消費者は、電話などの通信手段を用いて商品の製造者や販売者に対して問い合わせたりする他なかった。ところが、商品の包装に記載される情報は、複数の部門によって別個に定められている場合が多く、また内容が適宜変更されるため、問い合わせの全てに的確に対応することは困難であるという問題があった。
【０００７】
本発明は、上述した問題を解消し、トレーサビリティシステムを利用する消費者の処理負担を増大させることなく、商品の包装に記載された各種の情報の詳細を提供可能な商品情報提供システム、及び商品情報提供方法を提供することを目的とする。
【課題を解決するための手段】
【０００８】
本発明の商品情報提供システムは、消費者端末からの依頼に応じて商品の履歴情報と商品の包装に表示された商品表示の内容の詳細を示す商品表示詳細情報を提供する商品情報提供システムであって、商品に付されている履歴情報検索コードを提示した前記消費者端末からの履歴情報取得依頼に応じて、当該履歴情報検索コードを用いて商品の履歴情報を検索する履歴情報検索手段と、検索した履歴情報を前記消費者端末に提供する履歴情報提供手段と、前記履歴情報検索コードを提示した前記消費者端末からの商品表示詳細情報取得依頼に応じて、当該履歴情報検索コードを用いて商品表示詳細情報を検索する商品表示詳細情報検索手段と、検索した商品表示詳細情報を前記消費者端末に提供する商品表示詳細情報提供手段とを備えたことを特徴とする。
【０００９】
上記のように構成したことで、トレーサビリティシステムを利用する消費者の処理負担を増大させることなく、商品の包装に記載された各種の情報の詳細を提供することができる。
【００１０】
商品表示詳細情報検索手段は、提示された履歴情報検索コードにもとづいて商品表示詳細情報検索コードを特定し、特定した商品表示詳細情報検索コードに対応付けされている商品表示詳細情報を検索する構成とされていてもよい。
【００１１】
商品表示詳細情報検索コードは、対応する履歴情報検索コードのうちあらかじめ定められた所定の一部によって構成され、商品表示詳細情報検索手段は、提示された履歴情報検索コードから前記所定の一部を抽出することで商品表示詳細情報検索コードを特定する構成とされていてもよい。
【００１２】
商品の包装に表示された商品表示には、例えば、商品の名称、原材料名、賞味期限、製造方法、加工方法、メーカー名、販売者名、製造者番号、保存方法、製造者、注意書のうち少なくとも１つを含み、商品表示詳細情報は、例えば、商品の名称の由来、原材料の効能、賞味期限の決定方法、製造方法の具体的内容、加工方法の具体的内容、メーカーの紹介、販売者の紹介、製造者番号の具体的説明、保存方法の具体的内容、製造者の紹介、注意書の意図のうち少なくとも一つを含む。
【００１３】
また、本発明の商品情報提供方法は、消費者端末からの依頼に応じて商品の履歴情報と商品の包装に表示された商品表示の内容の詳細を示す商品表示詳細情報を提供する商品情報提供方法であって、商品に付されている履歴情報検索コードを提示した前記消費者端末からの履歴情報取得依頼に応じて、当該履歴情報検索コードを用いて商品の履歴情報を検索する履歴情報検索処理と、検索した履歴情報を前記消費者端末に提供する履歴情報提供処理と、前記履歴情報検索コードを提示した前記消費者端末からの商品表示詳細情報取得依頼に応じて、当該履歴情報検索コードを用いて商品表示詳細情報を検索する商品表示詳細情報検索処理と、検索した商品表示詳細情報を前記消費者端末に提供する商品表示詳細情報提供処理とを備えたことを特徴とする。
【発明の効果】
【００１４】
本発明によれば、トレーサビリティシステムを利用する消費者の処理負担を増大させることなく、商品の包装に記載された各種の情報の詳細を提供可能な商品情報提供システム、及び商品情報提供方法を提供することができる。
【発明を実施するための最良の形態】
【００１５】
以下、本発明の一実施の形態について図面を参照して説明する。
図１は、本発明の一実施の形態における商品情報提供システム１００の構成の例を示すブロック図である。図１に示すように、商品情報提供システム１００は、商品情報提供サーバ１０と、商品表示詳細情報提供サーバ２０と、消費者端末３０とを含む。
【００１６】
商品情報提供サーバ１０、および商品表示詳細情報管理サーバ２０は、それぞれ、例えばインターネットなどの通信ネットワーク４０に接続されている。なお、商品表示詳細情報管理サーバは複数設けられていてもよい。
【００１７】
商品情報提供サーバ１０、および商品表示詳細情報管理サーバ２０は、それぞれ、ＷＷＷサーバなどの情報処理装置によって構成される。
【００１８】
商品情報提供サーバ１０は、例えば商品情報提供システム１００のシステム管理者によって管理される本部サーバであり、トレーサビリティシステムにおける履歴情報の提供処理などの各種の処理を実行する。
【００１９】
商品情報提供サーバ１０は、各商品の履歴を示す商品履歴情報を格納する商品履歴情報ＤＢ１１を備えている。商品履歴情報は、商品の生産履歴や流通履歴を示す情報であって、例えば、商品分類、商品名、商品の生産者・製造者・販売元、商品の販売者・販売店、商品の生産日・製造日、商品の生産地・製造地などの各種の情報を含む。なお、商品履歴情報ＤＢ１１は、商品情報提供サーバ１０の内部にあっても外部にあってもよい。
【００２０】
商品表示詳細情報管理サーバ２０は、例えば商品情報提供システム１００のシステム管理者によって管理されるサーバ装置であり、商品表示詳細情報を格納する商品表示詳細情報ＤＢ２１を備えている。商品表示詳細情報は、例えばペットボトルや食品パッケージなどの商品の包装に表示されている各種の情報（商品名、内容成分、原材料名、賞味期限、製造方法、加工方法、メーカー名、販売者名、製造者番号、保存方法、製造者、注意書、商品説明、商品容器説明、使用主成分、有効成分など）の詳細を示す情報であって、例えば、商品名の由来や意図、原材料の効能、賞味期限の決定方法、各内容成分のアレルゲンの有無や効能、製造方法の具体的内容、加工方法の具体的内容、メーカーの紹介、販売者の紹介、製造者番号の具体的説明、保存方法の具体的内容、製造者の紹介、注意書の意図（すなわち具体的内容）、保存方法の具体的内容などを含む。なお、商品表示詳細情報ＤＢ２１は、商品表示詳細情報管理サーバ２０の内部にあっても外部にあってもよい。
【００２１】
本例では、商品表示詳細情報ＤＢ２１に、商品表示詳細情報を検索するための商品表示詳細情報検索テーブルが登録されている。商品表示詳細情報検索テーブルには、例えば図２に示すように、商品表示詳細情報を示す商品表示詳細情報コード、対応する商品を示す商品コード、商品表示詳細情報が格納されているファイルのファイル名などの各種の情報が対応付けされて登録されている。商品表示詳細情報検索テーブルは、あらかじめ登録されている複数の商品表示詳細情報の中から、提供する商品表示詳細情報を検索するために用いられるテーブルである。
【００２２】
図２に示すように、本例では、商品コードの所定の一部により商品表示詳細情報コードが構成される。具体的には、図２に示す例では、１０桁で構成される商品コードのうち、６桁目から８桁目（左から３桁目〜５桁目）の３桁が商品表示詳細情報コードとされる。
【００２３】
消費者端末３０は、例えばパーソナルコンピュータや携帯情報端末などの情報処理装置によって構成され、通信ネットワーク４０に接続するためのソフトウェア及びハードウェアを含む環境を備えているものとする。
【００２４】
次に、本例の商品情報提供システム１００の動作について説明する。
ここでは、商品Ｘを購入した消費者Ｙが、消費者端末３０を利用して商品Ｘの履歴照会を行う場合を例に説明することとし、本発明に特に関わる処理以外は、説明を省略している場合があるものとする。
【００２５】
図３は、本例の商品情報提供システム１００における商品情報（商品履歴情報、商品表示詳細情報）提供処理の例を示すフローチャートである。商品情報提供処理において、先ず、消費者端末３０は、消費者Ｙの操作に応じて商品情報提供サーバ１０にアクセスする（ステップＳ１０１）。ステップＳ１０１では、例えば、商品情報提供サーバ１０の管理者が提供している商品情報提供サイトのＵＲＬ（Uniform Resource Locator）によりアクセスされる。
【００２６】
消費者端末３０からのアクセスがあると、商品情報提供サーバ１０は、商品に付与されているトレーサビリティコード（商品コード）を入力するためのコード入力画面を生成し、消費者端末３０に送信する（ステップＳ１０２）。
【００２７】
消費者端末３０は、商品情報提供サーバ１０からのコード入力画面を、自己が備える表示装置に表示する（ステップＳ１０３）。コード入力画面には、例えば図４に示すように、トレーサビリティコードを入力するためのコード入力領域、コード入力領域に入力したトレーサビリティコードにより商品履歴情報の検索を行う際に押下される検索ボタンなどが設けられている。
【００２８】
コード入力画面が表示されると、消費者Ｙは、商品Ｘに付与されているトレーサビリティコードを、コード入力領域に入力する。
【００２９】
そして、消費者端末３０は、検索ボタンの押下を受け付けると、消費者Ｙによって入力された商品Ｘのトレーサビリティコードを商品情報提供サーバ１０に送信する（ステップＳ１０４）。
【００３０】
トレーサビリティコードを受信すると、商品情報提供サーバ１０は、商品履歴情報ＤＢ１１に格納されている商品履歴情報を参照し、受信したトレーサビリティコードを用いて、商品Ｘの商品履歴情報を検索する（ステップＳ１０５）。具体的には、商品履歴情報ＤＢ１１に格納されている商品履歴情報の中から、トレーサビリティコード（商品コード）に対応付けされている商品履歴情報を抽出する。
【００３１】
また、本例では、ステップＳ１０５にて、受信したトレーサビリティコードを用いて、商品Ｘについての提供可能な商品表示詳細情報を示す商品表示詳細情報コードを抽出する。この場合、商品履歴情報ＤＢ１１に格納されている提供可能商品表示詳細情報検索テーブルを用いて、受信したトレーサビリティコードに対応付けされている商品表示詳細情報コードを抽出する。すなわち、提供可能商品表示詳細情報検索テーブルは、トレーサビリティコードと、そのトレーサビリティコードが示す商品についての提供可能な商品表示詳細情報を示す商品表示詳細情報コードとが対応付けされたテーブルである。
【００３２】
商品Ｘの商品履歴情報を検索すると、商品情報提供サーバ１０は、検索した商品履歴情報を閲覧させるとともに、商品表示詳細情報の閲覧希望を受け付けるための商品履歴情報閲覧画面を生成し、消費者端末３０に送信する（ステップＳ１０６）。
【００３３】
消費者端末３０は、商品情報提供サーバ１０からの商品履歴情報閲覧画面を、自己が備える表示装置に表示する（ステップＳ１０７）。商品履歴情報閲覧画面には、例えば図５に示すように、商品Ｘの商品履歴情報が表示された表示領域や、商品表示詳細情報の閲覧希望を受け付けるための希望受付ボタン（「閲覧する」なるボタン）などが設けられている。すなわち、本例では、商品履歴情報閲覧画面は、商品Ｘに係る商品表示詳細情報の閲覧を希望するか否かを受け付けるための商品表示詳細情報選択画面でもある。
【００３４】
商品履歴情報閲覧画面が表示されると、消費者Ｙは、商品履歴情報閲覧画面に表示されている商品履歴情報を閲覧するとともに、商品表示詳細情報の閲覧を希望する場合には、希望受付ボタンを押下する。
【００３５】
希望受付ボタンの押下により商品表示詳細情報の閲覧希望を受け付けると、消費者端末３０は、商品情報提供サーバ１０に対して、商品Ｘについての商品表示詳細情報の提供要求を行う（ステップＳ１０８）。
【００３６】
商品表示詳細情報の提供要求を受けると、商品情報提供サーバ１０は、商品表示詳細情報管理サーバ２０に対して、消費者端末３０から受け付けているトレーサビリティコードを提示して商品表示詳細情報の提供要求を行う（ステップＳ１０９）。
【００３７】
商品表示詳細情報管理サーバ２０は、商品表示詳細情報の提供要求に応じて、商品表示詳細情報検索テーブルを用いて商品表示詳細情報を検索する（ステップＳ１１０）。具体的には、商品表示詳細情報ＤＢ２１に格納されている商品表示詳細情報の中から、受信したトレーサビリティコードにもとづき特定される商品表示詳細情報コードに対応付けされているファイル名の商品表示詳細情報を抽出する。その後、商品表示詳細情報管理サーバ２０は、検索した商品表示詳細情報を商品情報提供サーバ１０に対して送信する（ステップＳ１１１）。
【００３８】
商品情報提供サーバ１０は、商品表示詳細情報管理サーバ２０からの商品表示詳細情報を受信すると、商品表示詳細情報提供画面を生成する（ステップＳ１１２）。そして、商品情報提供サーバ１０は、生成した商品表示詳細情報提供画面を消費者端末３０に対して送信する（ステップＳ１１３）。
【００３９】
消費者端末３０は、商品情報提供サーバ１０からの商品表示詳細情報提供画面を、自己が備える表示装置に表示する（ステップＳ１１４）。商品表示詳細情報提供画面には、例えば図６に示すように、商品表示詳細情報管理サーバ２０から取得した商品Ｘの商品表示詳細情報が表示される表示領域や、前画面に戻る際に押下される「戻る」ボタン、画面の表示を終了してここでの処理を完了させる際に押下される「終了」ボタンなどが設けられている。
【００４０】
消費者Ｙは、商品表示詳細情報提供画面により、自己が要求した商品Ｘの商品表示詳細情報を閲覧する。そして、続けて商品Ｘについての別の商品表示詳細情報を閲覧する場合などには、「戻る」ボタンを押下し、処理を終了する場合には「終了」ボタンを押下する。
【００４１】
「戻る」ボタンが押下されると（ステップＳ１１５のＹ）、消費者端末３０は、ステップＳ１０７に戻って再び商品履歴情報閲覧画面を表示する。「終了」ボタンが押下されると（ステップＳ１１５のＮ）、消費者端末３０は、商品情報提供サーバ１０に対して商品表示詳細情報の閲覧処理の完了を指示するための閲覧終了通知を行う（ステップＳ１１６）。
【００４２】
以上に説明したように、上述した一実施の形態では、商品に付されている履歴情報検索コード（トレーサビリティコード）を提示した消費者端末３０からの履歴情報取得依頼に応じて、その履歴情報検索コードを用いて商品の履歴情報を検索し、検索した履歴情報を消費者端末３０に提供するとともに、履歴情報検索コードを提示した消費者端末３０からの商品表示詳細情報取得依頼に応じて、その履歴情報検索コードの一部により構成される商品表示詳細情報検索コードを用いて商品表示詳細情報を検索し、検索した商品表示詳細情報を消費者端末３０に提供する構成としたので、トレーサビリティシステムを利用する消費者の処理負担を増大させることなく、商品の包装に記載された各種の情報の詳細を提供することができるようになる。
【００４３】
すなわち、上述した一実施の形態では、消費者によって提示されたトレーサビリティコードに応じて商品の履歴情報を閲覧する際に、別途コードの入力を要求することなく、商品表示詳細情報を提供することが可能となるため、消費者がトレーサビリティコードを用いて商品の履歴情報を閲覧する際に、別途コードを入力することなく、商品表示詳細情報を閲覧することが可能となる。よって、レーサビリティシステムを利用する消費者にとっては、コード入力などの処理負担が増加することなく、商品の包装に記載された各種の情報の詳細を閲覧することができるようになる。
【００４４】
また、上述した一実施の形態では、消費者に提示されたトレーサビリティコードにもとづいて商品表示詳細情報検索コードを特定し、特定した商品表示詳細情報検索コードに対応付けされている商品表示詳細情報を検索する構成としたので、トレーサビリティコードにもとづき商品表示詳細情報を検索することが可能となる。
【００４５】
また、上述した一実施の形態では、商品表示詳細情報検索コードを、対応するトレーサビリティコードのうちあらかじめ定められた所定の一部（例えば左から３桁目〜５桁目の３桁のコード）によって構成し、提示されたトレーサビリティコードの所定の一部を抽出することで商品表示詳細情報検索コードを特定する構成としたので、トレーサビリティコードから簡単に商品表示詳細情報検索コードを抽出することが可能となる。
【００４６】
また。上述した実施の形態では、商品情報提供サーバ１０と、商品表示詳細情報管理サーバ２０とを別個のサーバとしていたが、商品情報提供サーバ１０と商品表示詳細情報管理サーバ２０とが１つのサーバ装置によって構成されていてもよい。
【産業上の利用可能性】
【００４７】
本発明によれば、トレーサビリティシステムを利用する消費者の処理負担を増大させることなく商品に関連する商品表示詳細情報を提供するのに有用である。
【図面の簡単な説明】
【００４８】
【図１】本発明の一実施の形態における商品情報提供システムの構成の例を示すブロック図である。
【図２】商品表示詳細情報検索テーブルの構成例を示す説明図である。
【図３】商品情報提供処理の例を示すフローチャートである。
【図４】コード入力画面の例を示す説明図である。
【図５】商品履歴情報閲覧画面の例を示す説明図である。
【図６】商品表示詳細情報提供画面の例を示す説明図である。
【符号の説明】
【００４９】
１０        商品情報提供サーバ
１１        商品履歴情報ＤＢ
２０        商品表示詳細情報管理サーバ
２１        商品表示詳細情報ＤＢ
３０        ユーザ端末
１００      商品情報提供システム
【図１】
2007280233.tif 000003
【図２】
2007280233.tif 000004
【図３】
2007280233.tif 000005
【図４】
2007280233.tif 000006
【図５】
2007280233.tif 000007
【図６】
2007280233.tif 000008